【手続補正書】
【提出日】平成17年8月26日(2005.8.26)
【手続補正１】
【補正対象書類名】明細書
【補正対象項目名】特許請求の範囲
【補正方法】変更
【補正の内容】
【特許請求の範囲】
【請求項１】  互いに送出内容が異なる複数の伝送ブロックを配列し、各伝送ブロック毎に自ブロックを識別するための識別情報が付加されかつ該識別情報を管理するための情報ブロックを含む１系統のデジタル放送信号について、異常判定を行うデジタル放送信号送出監視装置であって、
前記デジタル放送信号から前記情報ブロックを取得する第１のブロック取得手段と、
この第１のブロック取得手段で取得された情報ブロックを記憶する記憶手段と、
この記憶手段に記憶された情報ブロック中の識別情報に対応する伝送ブロックを、前記デジタル放送信号の中から取得する第２のブロック取得手段と、
前記第１のブロック取得手段による取得時から前記第２のブロック取得手段による取得時までにかかる取得時間が指定時間以上であるか否かを判定し、この判定結果に基づいて前記デジタル放送信号の異常判定を行う制御手段とを具備することを特徴とするデジタル放送信号送出監視装置。
【請求項２】  互いに送出内容が異なる複数の伝送ブロックを配列し、各伝送ブロック毎に自ブロックを識別するための識別情報が付加されかつ該識別情報を管理するための情報ブロックを含む複数系統のデジタル放送信号について、異常判定を行うデジタル放送信号送出監視装置であって、
前記複数系統のデジタル放送信号からそれぞれ前記情報ブロックを取得する第１のブロック取得手段と、
この第１のブロック取得手段で取得された情報ブロックを系統別に管理して記憶する記憶手段と、
この記憶手段に記憶された系統ごとの情報ブロック中の識別情報に対応する伝送ブロックを、前記複数系統のデジタル放送信号の中から取得する第２のブロック取得手段と、
前記第１のブロック取得手段による取得時から前記第２のブロック取得手段による取得時までにかかる取得時間、または前記第１及び第２のブロック取得手段のいずれか一方による取得時刻について、系統間で指定時間以上の時間差があるか否かを判定し、この判定結果に基づいて前記デジタル放送信号の異常判定を行う制御手段とを具備することを特徴とするデジタル放送信号送出監視装置。
【請求項３】  前記デジタル放送信号がＭＰＥＧ（Moving Picture Experts Group）で規定されるＴＳ（Transport Stream）で、前記情報ブロックとしてＰＡＴ（Program Association Table）、ＰＭＴ（Program Map Table）、各ストリームの関係で結びつく情報を含むとき、前記第１のブロック取得手段は、前記１系統または複数系統のデジタル放送信号からそれぞれ前記ＰＡＴ、ＰＭＴ、各ストリームの関係で結びつく情報のいずれか一つを取得することを特徴とする請求項１または２記載のデジタル放送信号送出監視装置。
【請求項４】  時刻を計時する計時手段をさらに備え、
前記第１のブロック取得手段は、取得した情報ブロックに対し取得時に前記計時手段で得られる時刻情報を付加し、
前記第２のブロック取得手段は、取得した伝送ブロックに対し取得時に前記計時手段で得られる時刻情報を付加し、
前記制御手段は、前記第１及び第２のブロック取得手段でそれぞれ得られる時刻情報に基づいて、前記取得時間、または前記第１及び第２のブロック取得手段のいずれか一方による取得時刻について、系統内または系統間で指定時間以上の時間差があるか否かを判定し、この判定結果に基づいて前記デジタル放送信号の異常判定を行うことを特徴とする請求項１または２記載のデジタル放送信号送出監視装置。
【請求項５】  前記伝送ブロックに送出内容のバージョン情報が付加されているとき、
時刻を計時する計時手段と、
前記第２のブロック取得手段で得られる伝送ブロックのバージョン情報を系統別に記憶するバージョン情報記憶手段と、
このバージョン情報記憶手段に記憶されているバージョン情報と、前記第２のブロック取得手段で得られる新たな伝送ブロックのバージョン情報とを系統別に比較することで、該当する伝送ブロックの送出内容が更新されたか否かを判定する更新判定手段と、
この更新判定手段により伝送ブロックの送出内容が更新されたと判定された場合に、その更新時に前記計時手段により計時される時刻情報を該当する伝送ブロックに付加する時刻付加手段とをさらに備え、
前記制御手段は、系統間における送出内容の更新時刻の時間差が指定時間以上であるか否かを判定し、この判定結果に基づいて前記デジタル放送信号の異常判定を行うことを特徴とする請求項２記載のデジタル放送信号送出監視装置。
【請求項６】  前記制御手段は、前記デジタル放送信号が異常である旨を判定した場合に、この異常である旨をアラームとして外部に報知するアラーム出力手段を備えることを特徴とする請求項１または２記載のデジタル放送信号送出監視装置。
【請求項７】  請求項１記載のデジタル放送信号送出監視装置を用いて前記デジタル放送信号の異常判定を行う送出監視方法であって、
前記第１のブロック取得手段に入力されるデジタル放送信号から前記情報ブロックを取得する第１の過程と、
この第１の過程で取得された情報ブロックを記録媒体に記憶する第２の過程と、
前記記録媒体に記憶された情報ブロック中の識別情報に対応する伝送ブロックを、前記デジタル放送信号の中から取得する第３の過程と、
前記第１の過程による取得時から前記第３の過程による取得時までにかかる取得時間が指定時間以上であるか否かを判定し、この判定結果に基づいて前記デジタル放送信号の異常判定を行う第４の過程とを具備することを特徴とするデジタル放送信号送出監視方法。
【請求項８】  請求項２記載のデジタル放送信号送出監視装置を用いて前記デジタル放送信号の異常判定を行う送出監視方法であって、
前記第１のブロック取得手段に入力される複数系統のデジタル放送信号からそれぞれ前記情報ブロックを取得する第１の過程と、
この第１の過程で取得された情報ブロックを系統別に管理して記録媒体に記憶する第２の過程と、
前記記録媒体に記憶された系統ごとの情報ブロック中の識別情報に対応する伝送ブロックを、前記複数系統のデジタル放送信号の中から取得する第３の過程と、
前記第１の過程による取得時から前記第３の過程による取得時までにかかる取得時間、前記第１及び第３の過程のいずれか一方で得られる取得時刻について、系統間で指定時間以上の時刻差があるか否かを判定し、この判定結果に基づいて前記デジタル放送信号の異常判定を行う第４の過程とを具備することを特徴とするデジタル放送信号送出監視方法。
【請求項９】  複数の伝送ブロックを配列し、各伝送ブロック毎に自ブロックを識別するための識別情報が付加されかつ該識別情報を管理するための情報ブロックを含む１系統のデジタル放送信号について、異常判定を行うデジタル放送信号送出監視装置であって、
前記デジタル放送信号から前記情報ブロックを取得する第１のブロック取得手段と、
前記第１のブロック取得手段により取得した情報ブロック中の識別情報に対応する伝送ブロックを、前記デジタル放送信号の中から取得する第２のブロック取得手段と、
前記第１のブロック取得手段による取得時から前記第２のブロック取得手段による取得時までにかかる取得時間が指定時間以上であるか否かを判定し、この判定結果に基づいて前記デジタル放送信号の異常判定を行う制御手段とを具備することを特徴とするデジタル放送信号送出監視装置。
【請求項１０】  複数の伝送ブロックを配列し、各伝送ブロック毎に自ブロックを識別するための識別情報が付加されかつ該識別情報を管理するための情報ブロックを含む複数系統のデジタル放送信号について、異常判定を行うデジタル放送信号送出監視装置であって、
前記複数系統のデジタル放送信号からそれぞれ前記情報ブロックを取得する第１のブロック取得手段と、
前記第１のブロック取得手段により取得した系統ごとの情報ブロック中の識別情報に対応する伝送ブロックを、前記複数系統のデジタル放送信号の中から取得する第２のブロック取得手段と、
前記第１のブロック取得手段による取得時から前記第２のブロック取得手段による取得時までにかかる取得時間、または前記第１及び第２のブロック取得手段のいずれか一方による取得時刻について、系統間で指定時間以上の時間差があるか否かを判定し、この判定結果に基づいて前記デジタル放送信号の異常判定を行う制御手段とを具備することを特徴とするデジタル放送信号送出監視装置。